(57)【特許請求の範囲】
【請求項１】
レースで１着になる可能性が高いと予想される競走対象の番号であって、参加者により選択された情報である予想情報、又は前記レースへの投票の種類を示す式別に準じた前記競走対象の番号であって、前記参加者により選択された情報である投票情報と、前記レースの暫定着順情報とを取得する取得部と、
前記予想情報又は前記投票情報と前記暫定着順情報とを比較して、暫定的中となる前記予想情報又は前記投票情報と、暫定不的中となる前記予想情報又は前記投票情報とで表示を変える表示指示を出力する処理部と、
を備え、
前記処理部は、前記予想情報を表示する予想情報領域と前記投票情報を表示する投票情報領域を含む参加者情報領域を表示する表示指示を出力する情報処理装置。
【請求項２】
前記処理部は、前記暫定着順情報の更新に応じて前記暫定的中となる前記予想情報又は前記投票情報を更新する、請求項１記載の情報処理装置。
【請求項３】
前記処理部は、前記予想情報及び前記投票情報が取得できなかった前記参加者情報領域と、前記予想情報及び前記投票情報の少なくとも一方を取得した前記参加者情報領域とで表示を変える表示指示を出力する、請求項１に記載の情報処理装置。
【請求項４】
前記取得部は、前記レースの確定着順情報を取得し、
前記処理部は、前記予想情報又は前記投票情報と前記確定着順情報とを比較して、的中となる前記予想情報又は前記投票情報と、不的中となる前記予想情報又は前記投票情報とで表示を変える表示指示を出力する、請求項１又は２に記載の情報処理装置。
【請求項５】
前記処理部は、前記的中となる前記投票情報の配当金が所定の金額を超えると、前記的中となる前記投票情報の表示を変更する表示指示を出力する請求項４に記載の情報処理装置。
【請求項６】
入力端末と、情報処理装置とを備え、
前記入力端末は、レースで１着になる可能性が高いと予想される競走対象の番号であって、参加者により選択された情報である予想情報、又は前記レースへの投票の種類を示す式別に準じた前記競走対象の番号であって、前記参加者により選択された情報である投票情報と、前記レースの暫定着順情報とを入力する入力部と、入力された前記予想情報又は前記投票情報と、入力された前記暫定着順情報とを前記情報処理装置に出力する制御部と、を備え、
前記情報処理装置は、前記予想情報又は前記投票情報と、前記暫定着順情報とを取得する取得部と、
前記予想情報又は前記投票情報と前記暫定着順情報とを比較して、暫定的中となる前記予想情報又は前記投票情報と暫定不的中となる前記予想情報又は前記投票情報とで表示を変える表示指示を出力する処理部と、を備え、
前記処理部は、前記予想情報を表示する予想情報領域と前記投票情報を表示する投票情報領域を含む参加者情報領域を表示する表示指示を出力する情報処理システム。
【請求項７】
前記入力部が、撮像装置を有し、
前記撮像装置により前記レースの投票券の表面が撮像され、
前記制御部が、撮像された前記投票券の画像を文字認識することで前記投票券から前記投票情報を生成し、生成された前記投票情報を前記情報処理装置に出力する、請求項６記載の情報処理システム。
【請求項８】
前記入力部が、撮像装置を有し、
前記撮像装置によりバーコードが印字された前記レースの投票券が撮像され、
前記制御部が、撮像された前記バーコードの画像から前記投票券の前記投票情報を生成し、生成された前記投票情報を前記情報処理装置に出力する、請求項６記載の情報処理システム。
【請求項９】
前記入力部が、撮像装置を有し、
前記撮像装置により参加者が撮像され
前記制御部が、撮像された前記参加者の画像から前記参加者を識別する識別画像情報を生成し、生成された前記識別画像情報を前記情報処理装置に出力する、
請求項６に記載の情報処理システム。
【請求項１０】
前記情報処理装置は、ネットワークを介して競技運営システムに接続され、
前記競技運営システムは、参加者が前記競技運営システムの会員コードを用いて購入した投票券の前記投票情報を保持し、
前記情報処理装置は、前記会員コードを用いて購入した前記投票券の前記投票情報を取得する、請求項６に記載の情報処理システム。
【請求項１１】
前記情報処理装置は、ネットワークを介して競技運営システムに接続され、
前記情報処理装置は、前記競技運営システムから前記レースの結果を取得する、
請求項６に記載の情報処理システム。
【請求項１２】
レースで１着になる可能性が高いと予想される競走対象の番号であって、参加者により選択された情報である予想情報、又は前記レースへの投票の種類を示す式別に準じた前記競走対象の番号であって、前記参加者により選択された情報である投票情報と、前記レースの暫定着順情報とを取得し、
前記予想情報又は前記投票情報と前記暫定着順情報とを比較して、暫定的中となる前記予想情報又は前記投票情報と暫定不的中となる前記予想情報又は前記投票情報とで表示を変える表示指示を出力し、
前記予想情報を表示する予想情報領域と前記投票情報を表示する投票情報領域を含む参加者情報領域を表示する表示指示を出力する処理方法。
【請求項１３】
コンピュータに、レースで１着になる可能性が高いと予想される競走対象の番号であって、参加者により選択された情報である予想情報、又は前記レースへの投票の種類を示す式別に準じた前記競走対象の番号であって、前記参加者により選択された情報である投票情報と、前記レースの暫定着順情報とを取得し、
前記予想情報又は前記投票情報と前記暫定着順情報とを比較して、暫定的中となる前記予想情報又は前記投票情報と暫定不的中となる前記予想情報又は前記投票情報とで表示を変える表示指示を出力し、
前記予想情報を表示する予想情報領域と前記投票情報を表示する投票情報領域を含む参加者情報領域を表示する表示指示を出力することを実行させるプログラム。
【発明の詳細な説明】
【技術分野】
【０００１】
本発明は、着順競技における予想又は投票に関する情報を共有する技術に関する。
【背景技術】
【０００２】
競馬などの公営競技は、仲間又は家族と共に開催場所を訪れてレース観戦を楽しむなど、幅広い層に受け入れられる娯楽の１つになっている。競技開催者は、来場者のコミュニケーションが活性化することでレースに対する興味が高まり、来場者がレースを予想する又は投票する機会が増えることを期待する。
【０００３】
レースの投票とその結果を共有する例として、特許文献１には、公営競技において複数の投票者間でレースの投票結果に関する情報を共有する技術が記載されている。
【先行技術文献】
【特許文献】
【０００４】
【特許文献１】特開２０１４−８１７７１号公報
【発明の概要】
【発明が解決しようとする課題】
【０００５】
特許文献１の技術は、レース結果に基づく投票情報の共有であり、単なる結果の共有に過ぎない。例えば、競馬で競走馬がゴールした後、レース結果が確定するまでの間に参加者間のコミュニケーションを活性化させることはできない。このように、競走対象がゴールラインに到着後からレース結果が確定するまでの間に、レースの予想又は投票する者のコミュニケーションを活性化させることができる技術が望まれている。
【０００６】
本発明の目的は、上記課題を解決するための技術を提供することにある。
【課題を解決するための手段】
【０００７】
本発明の情報処理装置の一態様は、レースの予想情報又は前記レースの投票情報と、前記レースの暫定着順情報とを取得する取得部と、
前記予想情報又は前記投票情報と前記暫定着順情報と比較して、暫定的中となる前記予想情報又は前記投票情報と暫定不的中となる前記予想情報又は前記投票情報とで表示を変える表示指示を出力する処理部と、を備える。
【０００８】
本発明の処理方法の一態様は、レースの予想情報又は前記レースの投票情報と、前記レースの暫定着順情報とを取得し、
前記予想情報又は前記投票情報と前記暫定着順情報とを比較して、暫定的中となる前記予想情報又は前記投票情報と暫定不的中となる前記予想情報又は前記投票情報とで表示を変える表示指示を出力する。
【０００９】
本発明のプログラムの一態様は、コンピュータに、レースの予想情報又は前記レースの投票情報と、前記レースの暫定着順情報とを取得し、
前記予想情報又は前記投票情報と前記暫定着順情報とを比較して、暫定的中となる前記予想情報又は前記投票情報と暫定不的中となる前記予想情報又は前記投票情報とで表示を変える表示指示を出力する、ことを実行させる。
【００１０】
本発明の情報処理システムの一態様は、入力端末と、情報処理装置とを備え、
前記入力端末は、レースの予想情報又は前記レースの投票情報と、前記レースの暫定着順情報とを入力する入力部と、入力された前記予想情報又は前記投票情報と、入力された前記暫定着順情報とを前記情報処理装置に出力する制御部と、を備え、
前記情報処理装置は、前記予想情報又は前記投票情報と、前記暫定着順情報とを取得する取得部と、前記予想情報又は前記投票情報と前記暫定着順情報とを比較して、暫定的中となる前記予想情報又は前記投票情報と暫定不的中となる前記予想又は前記投票とで表示を変える表示指示を出力する処理部と、を備える。
【発明の効果】
【００１１】
本発明は、競走対象がゴールラインに到着後からレース結果が確定するまでの間に、レースの予想又は投票する者のコミュニケーションを活性化させる。
【図面の簡単な説明】
【００１２】
【図１】第１の実施形態における情報処理システムの構成を示すブロック図である。
【図２】第１の実施形態における入力端末の構成を示すブロック図である。
【図３】第１の実施形態における情報処理装置の構成を示すブロック図である。
【図４】第１の実施形態における情報処理装置の動作を示すフローチャート図である。
【図５】情報処理装置の初期登録処理の動作を示すフローチャート図である。
【図６】参加者情報の例を示すデータシートである。
【図７】参加者に割当てられる参加者情報領域の例を示す図である。
【図８】初期登録時における参加者情報領域の表示状況を示す図である。
【図９】情報処理装置のエントリー処理の動作を示すフローチャート図である。
【図１０Ａ】情報処理装置が取得する予想情報の例を示すデータシートである。
【図１０Ｂ】情報処理装置が取得する投票情報の例を示すデータシートである。
【図１１】エントリー処理時における参加者情報領域の表示例を示す図である。
【図１２】エントリー処理終了時における参加者毎の参加者情報領域の表示状況を示す図である。
【図１３】暫定着順情報を入力するための表示画面の一例を示す図である。
【図１４】情報処理装置の暫定着順処理の動作を示すフローチャート図である。
【図１５】情報処理装置が取得する暫定着順情報の例を示すデータシートである。
【図１６】参加者情報領域における表示の変更例を示す図である。
【図１７】予想情報又は投票情報のいずれも暫定不的中となる参加者表示領域を表示変更した例である。
【図１８】第２の実施形態における情報処理装置の動作を示すフローチャート図である。
【図１９】情報処理装置の確定着順処理の動作を示すフローチャート図である。
【図２０】確定着順処理による表示画面の例を示す図である。
【図２１】第３の実施形態における情報システムの構成を示すブロック図である。
【図２２】投票情報が印字された投票券の一例を示す。
【図２３】情報処理装置および入力端末等をコンピュータ装置で実現したハードウエア構成を示すブロック図である。
【発明を実施するための形態】
【００１３】
以下の説明は、本発明の実施形態における情報処理システムを公営競技の競馬に適用した例である。
【００１４】
第１の実施形態の情報処理装置、及び、情報処理システムについて、図面を用いて説明する。図１は、第１の実施形態における情報処理システムの構成を示すブロック図である。図１に示すように、情報処理システム１０は、入力端末３０と、情報処理装置２０とを備える。表示装置４０は、情報処理システムの情報処理装置２０と接続され、情報処理装置２０から出力された画面情報を表示する。
【００１５】
＜入力端末＞
入力端末３０は、情報処理装置２０と接続され、入力された入力情報を情報処理装置２０に出力する機能を有する。図２は、第１実施形態における入力端末の構成を示すブロック図である。入力端末３０は、入力部３２、制御部３１、表示部３３を備える。
【００１６】
入力部３２は、入力情報を入力する機能を有する。具体的には、マウス、キーボード、タッチパネルのような入力装置で構成される。入力情報は、例えば、レースの予想情報又はレースの投票情報、レースの暫定着順情報である。予想情報、投票情報、暫定着順情報の具体例については後段で説明する。入力部３２への入力情報の入力は、情報処理装置２０にレースの予想又は投票等の情報を提供する参加者であってもよく、参加者以外（例えば、オペレーター）が入力してもよい。また、参加者は、レースの予想又は投票の情報を情報処理装置に提供しないレースがあってもよい。
【００１７】
制御部３１は、通信部（図示せず）を介して外部装置と各種情報を入出力する。具体的には、入力部３２で入力された入力情報を情報処理装置２０へ出力する。なお、制御部３１は、表示部３３に画像情報を表示させる機能を有していてもよい。画像情報は、例えば、入力情報を入力部３２に入力するための入力ガイドである。
【００１８】
表示部３３は、制御部からの情報を表示する機能を有する。表示部３３は、液晶表示装置のような平面ディスプレイを適用できる。
【００１９】
通信部は有線又は無線の通信回路で構成される。入力端末３０は、記憶部（図示せず）を有し、入力部３２で入力された入力情報、又は、制御部３１で扱う情報を保持できる。
【００２０】
また、参加者が複数の場合、参加者毎に割当てられた参加者ＩＤ（Identification）の入力により参加者毎に入力情報を区別する。参加者ＩＤは、参加者を識別するためのＩＤである。参加者ＩＤは、予め参加者に割り振られていてもよく、また、入力端末３０が、参加者の入力等に伴い自動で付与してもよい。また、参加者ＩＤは、電子投票券購入システムの識別ＩＤであってもよい。複数の参加者によるグループ分けがある場合は、グループを識別するグループＩＤを付与してもよい。なお、参加者は、複数のグループに属してもよい。
【００２１】
＜情報処理装置＞
図３は、第１実施形態における情報処理装置の構成を示すブロック図である。図３に示すように情報処理装置２０は、取得部２１と、処理部２２とを備える。情報処理装置２０の取得部２１は、レースの予想情報又は投票情報と、レースの暫定着順情報とを取得する。
【００２２】
レースの予想情報は、例えば、レースで１着になると予想される競走対象（又はその競走対象に関連する番号）を、その可能性の順に参加者が１つ以上選択した情報である。
【００２３】
参加者は、レースに出走する複数の競走対象から◎本命、○対抗、△穴に該当すると思われる競走対象を選択する。◎本命とは、1着になる勝つ可能性が最も高いと予想される競走対象、○対抗とは本命の次に１着になる勝つ可能性が高い競走対象、△穴とは、ひょっとしたら１着になると予想される競走対象を意味する。選択された競走対象に付された番号が、入力端末３０にレースの予想情報として入力され、情報処理装置２０に取得される。予想情報の具体例については後段で説明する。予想情報は、上記の評価指標に限られるものではなく、競走対象に対する他の評価指標を適用してもよい。
【００２４】
レースの投票情報は、例えば、参加者がレースに投票する式別（種類）とその買い目の情報を含む。買い目とは、式別に対応する競走対象の番号の選択である。例えば、競馬における式別が馬連の場合、買い目は、式別に対応する２つの競走対象の番号の組合せの選択となる。また、式別が３連複の場合、式別に対応する３つの競走対象の番号の組合せの選択となる。
【００２５】
投票情報には、買い目に対応する購入金額の情報が含まれていてもよい。投票情報に金額の情報を含めるかは、参加者の任意事項である。投票情報は、式別に準じた競走対象の番号の選択である点で予想情報と異なる。なお本明細書におけるレースの投票は、電子計算機を通じて購入される電子的な投票も含まれる。
【００２６】
暫定着順情報は、レース結果の確定前に競走対象の暫定的な着順を任意に定めた情報である。参加者によって１つ以上の暫定着順情報が提供される。レースの競走対象がゴールラインに到着後、レース結果が確定するまでの間、参加者は、競走対象の着順に対する様々な見立てして暫定着順を決定する。競走対象の暫定着順は、暫定着順情報として入力端末３０に入力され、入力端末３０により順次、情報処理装置２０に出力される。
【００２７】
このようにして、情報処理装置２０は、レースの予想情報又は投票情報、暫定着順情報を、入力端末３０から取得する。
【００２８】
また、情報処理装置２０の取得部２１は、参加者が複数の場合、参加者を識別するための参加者情報を入力端末３０から取得する。参加者情報については、後段で説明する。
【００２９】
更に、情報処理装置２０の処理部２２は、予想情報又は投票情報と暫定着順情報とを比較して、暫定的中となる予想情報又は投票情報を抽出する。予想情報の暫定的中と投票情報の暫定的中とは、それぞれ判定基準が異なる。
【００３０】
本実施形態における暫定的中となる予想情報の判定基準は、例えば、暫定着順情報の３着以内に、予想情報における競走対象の番号が少なくとも１つ該当していれば暫定的中とし、それ以外（１つも該当していなければ）は暫定不的中と判定する。暫定的中となる予想情報の判定基準はこれに限られるものではなく、他の判定基準を用いてもよい。予想情報の暫定的中の判定基準は任意に設定できる。
【００３１】
また、本実施形態における暫定的中となる投票情報の判定基準は、例えば、公営競馬における勝馬投票券の的中の判定基準と同様とする。なお、投票情報の判定基準は、競技によって異なるため各競技における的中の判定基準に従って適宜変更可能であることは言うまでもない。
【００３２】
競走対象の暫定着順が種々変わることで暫定的中となる予想情報又は投票情報が変化する。すなわち、暫定着順情報の更新に対応して暫定的中となる予想情報又は投票情報も更新される。
【００３３】
また、処理部２２は、取得した予想情報又は投票情報、参加者情報等を参加者情報領域に表示する表示指示を出力する。参加者が複数の場合は、参加者毎に参加者情報領域が表示される。なお、処理部２２は、予想情報又は投票情報と比較している暫定着順情報の着順を示すために、参加者情報領域とは別の領域に暫定着順情報を表示する表示指示を出力してもよい。
【００３４】
処理部２２は、暫定的中となる予想情報又は投票情報と、それ以外（暫定不的中）の予想情報又は投票情報とで表示を変える表示指示を出力する。表示を変える具体例は、後段で説明する。
【００３５】
また、情報処理装置２０は、記憶部（図示せず）を有し、記憶部は、取得部２１が取得した情報、又は、処理部２２で生成された情報を保持する。情報処理装置２０は、通信部（図示せず）を有し、情報処理装置２０の取得部２１は、通信部を介して入力端末３０から各種情報を取得し、情報処理装置２０の処理部２２は、通信部を介して外部に情報を出力する。通信部は有線又は無線の通信回路で構成される。
【００３６】
次に、第１の実施形態における情報処理装置２０の動作について、図面を用いて説明する。
【００３７】
図４は、情報処理装置の動作を示すフローチャート図である。図４に示すように、情報処理装置２０は、初期登録処理（Ｓ１２）、エントリー処理（Ｓ１４）、暫定着順処理（Ｓ１６）を実行する。また、エントリー処理（Ｓ１２）、及び、暫定着順処理（Ｓ１４）は、レース単位で実行される。すなわち、次のレースが有る場合（Ｓ２０のＹｅｓ）、情報処理装置２０は、再びエントリー処理（Ｓ１２）を開始し、次のレースが無い場合（Ｓ２０のＮｏ）は終了する。
【００３８】
（初期登録処理）
第１の実施形態における情報処理装置の初期登録処理（Ｓ１２）について説明する。図５は、情報処理装置２０の初期登録処理（Ｓ１２）の動作を示すフローチャート図である。
【００３９】
まず、参加者の参加者情報が入力端末３０に入力され、参加者情報が情報処理装置２０に出力される。情報処理装置２０の取得部２１は、入力端末３０から参加者情報を取得する（Ｓ１２２）。
【００４０】
図６は、情報処理装置２０が取得する参加者情報の一例を示す。図６に示す参加者情報には、識別名、識別画像情報、グループ名が含まれている。識別名の「Ａ」、「Ｂ」等は、参加者を識別するための参加者ＩＤの一例である。
【００４１】
識別画像情報は、参加者を識別するための画像情報である。図６の識別画像情報の「アバター１」、「アバター２」等は、アバター画像の情報を示している。識別画像情報は、アバター画像以外の画像情報でもよい。なお識別画像情報は必須の情報ではない。
【００４２】
グループ名は、参加者が属するグループを示す情報であり、他グループとの識別に利用される。なお、グループ名は、必須な情報ではなく、参加者の人数など必要に応じて入力端末３０側で任意に付与してもよい。
【００４３】
次に、情報処理装置２０の処理部２２は、取得した参加者情報を、参加者毎に設定された参加者情報領域に表示する表示指示を出力する（Ｓ１２４）。
【００４４】
図７は、参加者に割当てられる参加者情報領域の一例を示す図である。図７に示す参加者情報領域は、参加者を識別するための識別領域と、レースの予想情報が表示される予想情報領域と、レースの投票情報が表示される投票情報領域とを含む。識別領域には、参加者の識別名と識別画像情報が表示される。
【００４５】
処理部２２は、参加者が複数の場合、参加者毎に参加者情報領域の表示指示を出力する。図８は、初期登録時における参加者情報領域の表示状況を示す図である。図８に示すように、参加者毎に初期登録された参加者情報領域が画面表示される。図８の例では、各参加者情報領域を全画面の半分を使って表示しているが、全画面を使って表示しもよい。また、処理部２２は、参加者情報領域の数に応じて表示画面内における参加者情報領域の面積を縮小又は拡大する表示指示を出力してもよい。
【００４６】
（エントリー処理）
第１の実施形態における情報処理装置のエントリー処理（Ｓ１４）について説明する。図９は、情報処理装置のエントリー処理の動作を示すフローチャート図である。
【００４７】
予想情報又は投票情報は、入力端末３０に参加者の参加者ＩＤ（識別名）と関連付けて入力され、入力端末３０から情報処理装置２０に出力される。情報処理装置２０の取得部２１は、入力端末３０から予想情報又は投票情報を取得する（Ｓ１４２）。
【００４８】
図１０Ａは、情報処理装置２０が取得する予想情報の例を示すデータシートである。図１０Ａに示す予想情報のデータシートには、参加者の識別名、競馬の開催日、競馬の開催地、レース番号、レースの予想（◎本命、○対向、△穴として選択された競走対象の番号）が含まれる。
【００４９】
図１０Ｂは、情報処理装置２０が取得する投票情報の例を示すデータシートである。図１０Ｂに示す投票情報のデータシートには、参加者の識別名、競馬の開催日、競馬の開催地、レース番号、式別、買い目、金額、参加者が属するグループ名が含まれる。金額は、レースに投票する買い目の金額である。投票情報に金額を含めるか否かは、参加者が入力端末３０への入力の際に任意で決めることができる。なお、グループ名は、参加者をグループ分けする必要がある場合に、入力端末３０に入力され、情報処理装置２０で取得される。
【００５０】
続いて、情報処理装置２０の処理部２２は、参加者の予想情報、投票情報を、参加者情報領域の予想情報領域、投票情報領域にそれぞれ表示する表示指示を出力する（Ｓ１４４）。図１１は、エントリー処理時における参加者情報領域の表示例を示す図である。図１１に示すように、予想情報領域に予想情報として「◎  １２」、「○  ６」、「△  ８，３，４」が表示され、投票情報領域に式別毎に勝馬投票券を模した投票情報が表示される。投票情報領域の表示形式はこれに限られるものではなく、例えば、投票情報の式別とその買い目の情報を一覧形式で表示してもよい。
【００５１】
図１２は、エントリー処理終了時における参加者毎の参加者情報領域の表示状況を示す図である。図１２に示す参加者情報領域は、予想情報又は投票情報の取得状況に応じてその表示状況が変わる。すなわち、エントリー処理中に予想情報と投票情報の両方が取得できた参加者情報領域にはそれぞれの情報が表示される、予想情報しか取得できなかった場合は、参加者情報領域には、投票情報は表示されない。また、予想情報及び投票情報が取得できなかった場合は、いずれも表示されない。
【００５２】
処理部２２は、予想情報と投票情報のいずれも取得できなかった参加者情報領域と、予想情報と投票情報の少なくとも一方が取得できた参加者情報領域との表示を変更する表示指示を出力することができる。図１２では、予想情報と投票情報のいずれも取得できなかった２つの参加者情報領域がグレーアウト表示されている。
【００５３】
情報処理装置２０の処理部２２は、各レースにおけるエントリー処理の実行時間は任意であるが、各レースの発走までにエントリー処理を終了させることが好ましい。また、エントリー処理の実行時間内であれば、レースの予想情報又は投票情報の変更は可能である。予想情報又は投票情報が更新された場合は、処理部２２は、変更内容に従って参加者情報領域における予想情報又は投票情報を変更する表示指示を出力する。情報処理装置２０は、エントリー処理（Ｓ１４）の終了後、暫定着順処理（Ｓ１６）に進む。
【００５４】
（暫定着順処理）
第１の実施形態における情報処理装置の暫定着順処理について説明する。暫定着順処理は、予想情報又は投票情報と暫定着順情報とを比較して、暫定的中となる予想情報又は投票情報と、暫定不的中となる予想情報又は投票情報とで表示を変える表示指示を出力する処理である。
【００５５】
暫定着順情報は、入力端末３０で入力され、情報処理装置２０に出力される。図１３は、暫定着順情報を入力するための表示画面の一例を示す図であり、レースの馬番号の一覧から暫定着順として馬番号が選択され、１着〜５着までの暫定着順の欄に入力される。図１３の例は、入力部３２と表示部３３として機能するタッチパネルディスプレイを備える入力端末３０で実現できる。
【００５６】
図１４は、情報処理装置の暫定着順処理の動作を示すフローチャート図である。情報処理装置２０の取得部２１は、入力端末３０から暫定着順情報を取得する（Ｓ１６２）。図１５は、暫定着順情報を含むデータシートを示す図である。図１５に示す暫定着順情報のデータシートは、グループ名、開催日、開催地、レース番号、暫定着順（１着〜５着までの競走対象の番号）、受付Ｎｏが含まれる。図１５には、東京で開催された９レースにおける１着〜５着までの暫定着順情報が３つ示されている。なお、受付Ｎｏは、暫定着順情報ごとに入力端末３０側、又は、情報処理端末側で付与される。
【００５７】
次に、処理部２２は、取得した暫定着順情報とエントリー処理（Ｓ１４）で取得したレースの予想情報又は投票情報とを比較して（Ｓ１６４）、暫定的中となる予想情報又は投票情報を抽出する。
【００５８】
続いて、処理部２２は、暫定的中となる予想情報又は投票情報と、暫定不的中となる予想情報又は投票情報とで表示を変える表示指示を出力する（Ｓ１６６）。図１６は、ある参加者の参加者情報領域における表示の変更の一例を示す図である。例えば、図１６に示すように、処理部２２は、暫定的中となる予想情報の番号、暫定的中となる投票情報の買い目の番号を強調表示する表示指示を出力する。強調表示は、例えば、拡大表示する、色彩を変更して表示する、文字を点滅表示する、文字を囲むようなマーキング表示することが含まれる。表示を変える表示指示は、上記に限られるものではなく、対象の表示を視覚する者が他の表示より目立つように表示を変更すればよい。
【００５９】
処理部２２は、暫定的中となる予想情報又は投票情報の無い参加者情報領域の表示を変更する表示指示を出力してもよい。図１７は、予想情報又は投票情報のいずれも暫定不的中となる参加者表示領域を表示変更した例である。図１７中、当該参加者情報領域はグレーアウト表示に変更されている。参加者情報領域をグレーアウトさせることで、暫定的中した参加者の有無、又は、その割合を一瞥して知ることができる。また、処理部２２は、グレーアウトの他に網掛け、斜線、×、シャッターが閉まっている画像等で表示する表示指示をしてもよい。
【００６０】
なお、暫定的中となる予想情報と投票情報とで同じ表示変更をしてもよいし、別の表示変更をしてもよい。
【００６１】
続いて、情報処理装置２０の処理部２２は、次の暫定着順情報の入力がある場合（Ｓ１６８のＹｅｓ）、次の暫定着順情報を取得し（Ｓ１６２）、取得した暫定着順情報と予想情報又は投票情報とを比較して（Ｓ１６４）、暫定的中となる予想情報又は投票情報を抽出する。続いて、処理部２２は、暫定的中となる予想情報又は投票情報と、暫定不的中となる予想情報又は投票情報とで表示を変える表示指示を出力する（Ｓ１６６）。情報処理装置２０は、レース結果が確定するまで暫定着順処理を実行する。
【００６２】
なお、暫定着順処理は、レースの発走前、あるいはレース中でも処理を実行することができるが、レースで競走対象がゴールラインに到着後に実行されることが好ましい。ゴールラインに到着後であれば、暫定着順の競走対象の番号を絞ることが容易になり、暫定着順の入力端末３０への入力がスムーズに進められる。暫定着順処理は、レースの競走対象がゴールラインに到着後、レース結果が確定するまでの間に処理されることが望ましい。
【００６３】
以上のように第１の実施形態によれば、情報処理装置２０は、予想情報又は投票情報と暫定着順情報とを比較して、暫定的中となる予想情報又は投票情報と、暫定不的中となる予想情報又は投票情報とで表示を変える表示指示を出力する。これにより、レース結果が確定する迄の間に、暫定的中の可能性があるレースの予想又は投票と、その予想又は投票をした参加者とその割合（又は人数）を一瞥して知ることができる。暫定着順によって自身のレースの予想又は投票が的中したかもしれないという状況により、コミュニケーションを活性化させることができる。
【００６４】
また、情報処理装置２０は、暫定着順情報を種々変更することで暫定的中となる予想情報又は投票情報の表示を変ることができる。暫定着順の変更によって予想又は投票が的中したかもしれないという状況も変化するため、コミュニケーションをより活性化させることができる。
【００６５】
（第２の実施形態）
第２の実施形態の情報処理装置、及び、情報処理システムについて図面を用いて説明する。第２の実施形態は、第１の実施形態の暫定着順処理後に確定着順処理を実行する点で第１の実施形態と異なる。また、第２の実施形態の確定着順処理は、第１の実施形態の情報処理装置２０、及び、情報処理システム１０の構成を用いて実行することができる。以下の第２の実施形態の説明では、確定着順処理について詳細に説明し、第１の実施形態と重複する部分の説明は簡略化又は省略する。
【００６６】
第２の実施形態における情報処理装置２０の動作について、図面を用いて説明する。図１８は、情報処理装置の動作を示すフローチャート図である。図１８に示すように、第２の実施形態における情報処理装置２０は、第１の実施形態における情報処理装置２０の暫定着順処理（Ｓ１６）の後に確定着順処理（Ｓ１８）を実行する。具体的には、レース結果が確定するまで暫定着順処理（Ｓ１６）を実行し、レース結果が確定した後に確定着順処理を実行する。なお、確定着順処理を実行する際には確定着順情報を用いて予想情報又は投票情報と比較が行われる。以下、確定着順処理について説明する。
【００６７】
（確定着順処理）
第２の実施形態における情報処理装置２０の確定着順処理（Ｓ１８）について説明する。確定着順は、レースの主催者が決定する競走対象の着順である。確定着順情報は、暫定着順情報と同様に入力端末３０を介して情報処理装置２０に出力される。例えば、レースの主催者が発表した確定着順の情報を参加者が入力端末３０に入力することで、入力された確定着順情報が情報処理装置２０に出力される。なお、確定着順情報の入力は、参加者以外が入力端末３０に入力してもよい。
【００６８】
図１９は、情報処理装置の確定着順処理の動作を示すフローチャート図である。情報処理装置２０の取得部２１は、確定着順情報を取得し（Ｓ１８２）、処理部２２は、取得した確定着順情報とエントリー処理（Ｓ１４）で取得したレースの予想情報又は投票情報とを比較して（Ｓ１８４）、的中となる予想情報又は投票情報を抽出する。確定着順処理における予想情報又は投票情報の的中の判定基準は、暫定着順処理における予想情報又は投票情報の的中の判定基準と同じである。このため、予想情報と投票情報とでは的中の判定基準はそれぞれ異なる。
【００６９】
続いて、処理部２２は、的中となる予想情報又は投票情報と、不的中となる予想情報又は投票情報とで表示を変える表示指示を出力する（Ｓ１８６）。
【００７０】
図２０は、確定着順処理による表示画面の例を示す図である。図２０に示す表示変更は的中した予想情報又は投票情報を含む参加者情報領域の周囲をマーキングで囲む例である。この他、情報処理装置２０の処理部２２は、確定着順処理における表示を変える表示指示として、暫定着順処理で説明した図１６、図１７に示すような表示指示をすることができる。
【００７１】
すなわち、処理部２２は、確定着順により的中となる予想情報の番号又は投票情報の買い目の番号を強調表示する表示指示を出力する。強調表示は、例えば、拡大表示する、色彩を変更して表示する、文字を点滅表示する、文字を囲むようなマーキング表示することが含まれる。表示を変える表示指示は、上記に限られるものではなく、対象の表示を視覚する者が他の表示より目立つように表示を変更すればよい。
【００７２】
処理部２２は、的中となる予想情報又は投票情報の無い参加者情報領域の表示を変更する表示指示を出力してもよい。予想情報又は投票情報がいずれも暫定不的中となる参加者表示領域をグレーアウト表示に変更してもよい。また、処理部２２は、グレーアウトの他に網掛け、斜線、×、シャッターが閉まっている画像等で表示する表示指示をしてもよい。
【００７３】
また、処理部２２は、的中した投票の配当金に応じて投票情報の表示を変更してもよい。例えば、的中した投票情報のうち、配当金が所定の金額を超えている式別とその買い目がある参加者情報領域に対して、情報処理装置２０の処理部２２は他の表示に変更する表示指示を出力してもよい。
【００７４】
第２の実施形態によれば、第１の実施形態と同様にレース結果が確定する迄の間に、暫定的中の可能性があるレースの予想又は投票と、その予想又は投票をした参加者とその割合（又は人数）を一瞥して知ることができる。暫定着順によって自身のレースの予想又は投票が的中したかもしれないという状況により、コミュニケーションを活性化させることができる。さらに、第２の実施形態は、レース結果が確定後、レースの予想又は投票と、その予想又は投票をした参加者とその割合（又は人数）を一瞥して知ることができ、コミュニケーションをより活性化させることができる。
【００７５】
（第３の実施形態）
第３の実施形態の情報処理システムは、第１、２の実施形態において情報処理装置の取得部が入力端末から取得していた投票情報、又は、確定着順投票の一部を、外部装置から取得する。第３の実施形態の情報処理システムは、第１の実施形態の情報処理システムにレース主催者の競技運営システムおよび携帯端末が追加されている。
【００７６】
図２１は、第３実施形態における情報処理システムの構成を示すブロック図である。図２１に示すように、第３の実施形態における情報処理システム１１は、第１の実施形態の情報処理装置２０にレース主催者の競技運営システム５０と携帯端末７０がネットワーク６０を介して接続されている。
【００７７】
＜競技運営システム＞
競技運営システム５０は、投票券販売サーバ５１、情報サーバ５２を備える。投票券販売サーバ５１は、競技運営システム５０が会員コードを付与した会員に対し、電子計算機を通じてネットワーク６０を介した電子的な投票券の購入を可能にする。例えば、当該会員は、携帯端末７０又は情報処理装置２０を介して競技運営システム５０の投票券販売サーバ５１にアクセスし、会員コードを入力して所望のレースの投票券を購入することができる。
【００７８】
競技運営システム５０の投票券販売サーバ５１は、投票券販売サーバ５１で会員が購入した電子的な投票券の投票情報（式別とその買い目ならびに当該買い目の購入金額）を会員コードに紐づけて保持する。また、投票券販売サーバ５１は、会員の要求に応じて会員が投票券販売サーバ５１で購入した電子的な投票券の投票情報を提供することができる。例えば、投票券販売サーバ５１は、受付けた会員コードを照合して本人確認し、会員コードに紐づいた投票情報を外部装置に出力することができる。
また、情報サーバ５２は、各レースの枠・馬番号、レース結果等のレース情報を保持し、提供する。情報サーバ５２は、レース情報を外部装置に出力することができる。
【００７９】
＜携帯端末、情報処理装置＞
携帯端末７０および情報処理装置２０は、投票券購入処理を実行する機能を備える。具体的には、携帯端末７０および情報処理装置２０は、電子的な投票券の購入するソフトウエアを実行して投票券販売サーバ５１にアクセスし会員コードを提示して電子的な投票券を購入する投票券購入処理を行う。
【００８０】
第３の実施形態の情報処理装置２０は、エントリー処理の投票情報、又は、確定着順処理の確定着順情報を競技運営システム５０から取得することができる。情報処理装置２０の取得部２１は、入力端末３０から参加者の会員コードを取得し、処理部２２が取得した会員コードを用いて競技運営システム５０の投票券販売サーバ５１にアクセスする。投票券販売サーバ５１は、情報処理装置２０から受付けた会員コードと競技運営システム５０が保持する会員コードを照合する。会員コードが合致した場合、投票券販売サーバ５１は、情報処理装置２０に電子的な投票券の投票情報を出力する。なお、会員コードは、会員コードを付与された参加者が入力端末３０から入力する。
【００８１】
また、情報処理装置２０は、処理部２２が、競技運営システム５０の情報サーバ５２にアクセスし、取得部２１が情報サーバ５２が保持するレース結果等のレース情報を取得する。
【００８２】
このように情報処理装置２０は、エントリー処理の投票情報として、参加者が競技運営システム５０で会員コードを用いて購入した電子的な投票券の投票情報を取得し、確定着順処理の確定着順情報として、競技運営システム５０に保持されたレース結果を取得する。
【００８３】
第３の実施形態によれば、情報処理装置２０が競技運営システム５０から投票情報、又は、確定着順情報を取得することにより、情報処理装置２０に出力するための入力端末３０への入力を簡略化することができる。
【００８４】
（各実施形態の変形例）
変形例は、第１の実施形態における入力端末３０の入力部３２にカメラ又はスキャナーのような撮像装置を追加する例である。図２２に投票情報が印字された投票券の一例を示す。投票券の表面を撮像した画像を制御部３１で文字認識することで開催日、開催地、レース番号、式別、買い目、金額のデータに変換する。入力端末３０は、参加者の識別名と変換されたデータとを関連付けして投票情報を情報処理装置２０へ出力する。また、図２２に示すように、投票券の表面に投票情報に関連するバーコードが印字されている場合、撮像装置で当該バーコードを撮影し、入力端末３０の制御部３１でバーコード画像から投票情報を抽出し、情報処理装置２０に出力してもよい。このように入力端末３０の入力部３２に撮像装置を用いることで投票情報の入力が容易になる。なお、バーコード画像だけで投票情報を抽出できない場合、情報処理装置２０は、当該バーコード画像から得られるバーコード情報を用いて競技運営システム５０にバーコード情報を問合せし、関連する投票情報を取得してもよい。
【００８５】
また、入力端末３０の撮像装置を用いて参加者の顔画像を撮像し識別画像情報として情報処理装置２０に出力してもよい。
【００８６】
（ハードウエア構成）
図２３は、情報処理装置２０および入力端末３０等をコンピュータ装置で実現したハードウエア構成を示すブロック図である。
【００８７】
図２３に示すように、情報処理装置２０、入力端末３０、競技運営システム５０、又は携帯端末７０は、ＣＰＵ（Ｃｅｎｔｒａｌ  Ｐｒｏｃｅｓｓｉｎｇ  Ｕｎｉｔ）９１、通信Ｉ／Ｆ（通信インターフェース）９２、メモリ９３、及び、プログラムを格納するハードディスク等の記憶装置９４を含む。
【００８８】
ＣＰＵ９１は、オペレーティングシステムを動作させて第１〜第３の実施形態における情報処理装置２０、第２の実施形態の競技運営システム５０を制御する。またＣＰＵ９１は、例えば、ドライブ装置に装着された記録媒体からメモリ９３にプログラムやデータを読み出す。
【００８９】
また、ＣＰＵ９１は、例えば、情報処理装置２０の取得部２１などから入力される情報を処理する機能を有し、プログラムに基づいて各種機能の処理を実行する。ＣＰＵ９１は、システムバス９７を介してメモリ９３、記憶装置９４等と接続される。
【００９０】
記憶装置９４は、例えば、光ディスク、フレキシブルディスク、磁気光ディスク、外付けハードディスク、又は半導体メモリ等である。記憶装置９４の一部の記憶媒体は、不揮発性記憶装置であり、そこにプログラムを記憶する。また、プログラムは、通信網に接続されている。図示しない外部コンピュータからダウンロードされてもよい。
【００９１】
以上のように、本発明の各実施形態は、図２３に示されるハードウエア構成によって実現される。但し、情報処理装置２０が備える各部は、特に限定されない。すなわち、情報処理装置２０は、物理的に結合した一つの装置により実現されてもよいし、物理的に分離した二つ以上の装置を有線又は無線で接続し、これら複数の装置により実現してもよい。
【００９２】
以上、実施形態（及び実施例）を参照して本願発明を説明したが、本願発明は上記実施形態（及び実施例）に限定されものではない。本願発明の構成や詳細には、本願発明のスコープ内で当業者が理解し得る様々な変更をすることができる。
【００９３】
上記、実施形態では、競馬を例に説明したがこれに限らず、競輪、競艇、又は、オートレースなど着順を決める競技全般に適用することができる。
【００９４】
上記の実施形態の一部又は全部は、以下の付記のように記載されうるが、以下には限られない。
【００９５】
（付記１）
レースの予想情報又は前記レースの投票情報と、前記レースの暫定着順情報とを取得する取得部と、
前記予想情報又は前記投票情報と前記暫定着順情報とを比較して、暫定的中となる前記予想情報又は前記投票情報と、暫定不的中となる前記予想情報又は前記投票情報とで表示を変える表示指示を出力する処理部と、
を備える情報処理装置。
【００９６】
（付記２）
前記処理部は、前記暫定着順情報の更新に応じて前記暫定的中となる前記予想情報又は前記投票情報を更新する、付記１記載の情報処理装置。
【００９７】
（付記３）
前記処理部は、前記予想情報を表示する予想情報領域と前記投票情報を表示する投票情報領域を含む参加者情報領域を表示する表示指示を出力する、付記１又は２記載の情報処理装置。
【００９８】
（付記４）
前記処理部は、前記表示の変更として、前記表示情報の拡大表示、前記表示情報の色彩の変更表示、又は、前記表示情報の周囲をマーキング表示する、付記１又は２記載の情報処理装置。
【００９９】
（付記５）
前記処理部は、前記予想情報及び前記投票情報が取得できなかった前記参加者情報領域と、前記予想情報及び前記投票情報の少なくとも一方を取得した前記参加者情報領域とで表示を変える表示指示を出力する、付記３に記載の情報処理装置。
【０１００】
（付記６）
前記処理部は、前記予想情報及び前記投票情報が取得できなかった参加者情報領域を、網掛け表示、Ｘ印表示、閉鎖されたシャッター表示、又は、グレーアウト表示する表示指示を出力する、付記５に記載の情報処理装置。
【０１０１】
（付記７）
前記取得部は、前記レースの確定着順情報を取得し、
前記処理部は、前記予想情報又は前記投票情報と前記確定着順情報とを比較して、的中となる前記予想情報又は前記投票情報と、不的中となる前記予想情報又は前記投票情報とで表示を変える表示指示を出力する、付記１又は２に記載の情報処理装置。
【０１０２】
（付記８）
前記処理部は、前記的中となる前記投票情報の配当金が所定の金額を超えると、前記的中となる前記投票情報の表示を変更する表示指示を出力する付記７に記載の情報処理装置。
【０１０３】
（付記９）
入力端末と、情報処理装置とを備え、
前記入力端末は、レースの予想情報又は前記レースの投票情報と、前記レースの暫定着順情報とを入力する入力部と、入力された前記予想情報又は前記投票情報と、入力された前記暫定着順情報とを前記情報処理装置に出力する制御部と、を備え、
前記情報処理装置は、前記予想情報又は前記投票情報と、前記暫定着順情報とを取得する取得部と、
前記予想情報又は前記投票情報と前記暫定着順情報とを比較して、暫定的中となる前記予想情報又は前記投票情報と暫定不的中となる前記予想情報又は前記投票情報とで表示を変える表示指示を出力する処理部と、を備える、情報処理システム。
【０１０４】
（付記１０）
前記入力部が、撮像装置を有し、
前記撮像装置により前記レースの投票券の表面が撮像され、
前記制御部が、撮像された前記投票券の画像を文字認識することで前記投票券から前記投票情報を生成し、生成された前記投票情報を前記情報処理装置に出力する、付記９記載の情報処理システム。
【０１０５】
（付記１１）
前記入力部が、撮像装置を有し、
前記撮像装置によりバーコードが印字された前記レースの投票券が撮像され、
前記制御部が、撮像された前記バーコードの画像から前記投票券の前記投票情報を生成し、生成された前記投票情報を前記情報処理装置に出力する、付記９記載の情報処理システム。
【０１０６】
（付記１２）
前記入力部が、撮像装置を有し、
前記撮像装置により参加者が撮像され
前記制御部が、撮像された前記参加者の画像から前記参加者を識別する識別画像情報を生成し、生成された前記識別画像情報を前記情報処理装置に出力する、
付記９に記載の情報処理システム。
【０１０７】
（付記１３）
前記情報処理装置は、ネットワークを介して競技運営システムに接続され、
前記競技運営システムは、参加者が前記競技運営システムの会員コードを用いて購入した投票券の前記投票情報を保持し、
前記情報処理装置は、前記会員コードを用いて購入した前記投票券の前記投票情報を取得する、付記９に記載の情報処理システム。
【０１０８】
（付記１４）
前記情報処理装置は、ネットワークを介して競技運営システムに接続され、
前記情報処理装置は、前記競技運営システムから前記レースの結果を取得する、
付記９に記載の情報処理システム。
【０１０９】
（付記１５）
レースの予想情報又は前記レースの投票情報と、前記レースの暫定着順情報とを取得し、
前記予想情報又は前記投票情報と前記暫定着順情報とを比較して、暫定的中となる前記予想情報又は前記投票情報と暫定不的中となる前記予想情報又は前記投票情報とで表示を変える表示指示を出力する、処理方法。
【０１１０】
（付記１６）
コンピュータに、レースの予想情報又は前記レースの投票情報と、前記レースの暫定着順情報とを取得し、
前記予想情報又は前記投票情報と前記暫定着順情報とを比較して、暫定的中となる前記予想情報又は前記投票情報と暫定不的中となる前記予想情報又は前記投票情報とで表示を変える表示指示を出力する、ことを実行させるプログラム。
【符号の説明】
【０１１１】
１０  情報処理システム
１１  情報処理システム
２０  情報処理装置
２１  取得部
２２  処理部
３０  入力端末
３１  制御部
３２  入力部
３３  表示部
４０  表示装置
５０  競技運営システム
５１  投票券販売サーバ
５２  情報サーバ
６０  ネットワーク
７０  携帯端末
９１  ＣＰＵ
９２  通信Ｉ／Ｆ（通信インターフェース）
９３  メモリ
９４  記憶装置
９７  システムバス
【図１】
0006536156.tif 000002
【図２】
0006536156.tif 000003
【図３】
0006536156.tif 000004
【図４】
0006536156.tif 000005
【図５】
0006536156.tif 000006
【図６】
0006536156.tif 000007
【図７】
0006536156.tif 000008
【図８】
0006536156.tif 000009
【図９】
0006536156.tif 000010
【図１０Ａ】
0006536156.tif 000011
【図１０Ｂ】
0006536156.tif 000012
【図１１】
0006536156.tif 000013
【図１２】
0006536156.tif 000014
【図１３】
0006536156.tif 000015
【図１４】
0006536156.tif 000016
【図１５】
0006536156.tif 000017
【図１６】
0006536156.tif 000018
【図１７】
0006536156.tif 000019
【図１８】
0006536156.tif 000020
【図１９】
0006536156.tif 000021
【図２０】
0006536156.tif 000022
【図２１】
0006536156.tif 000023
【図２２】
0006536156.tif 000024
【図２３】
0006536156.tif 000025